(57)【要約】【課題】本発明は、不正防止や、万一にも不正が成された場合の発見を容易な、情報記録媒体およびその製造方法並びに真偽判定方法を提供することを目的とする。【解決手段】透明基材の片面の側に、少なくとも低融点金属薄膜層を、そして該基材の他面の側には、該透明基材に近い側から少なくとも情報記録層及び隠蔽層を、それぞれ有する情報記録媒体であって、該情報記録層は、秘密情報が記録していること、該低融点金属薄膜層は、該情報が視認できないようにする隠蔽性を有し、加熱されると該隠蔽性を消失すること、該隠蔽層は、該情報が該隠蔽層の有る側から視認できないようにする隠蔽性を有していること、及び、微細な孔である微細孔が、前記情報記録媒体の面のいずれか片方から他方へ光が透過可能であるように、少なくとも前記低融点金属薄膜層と隠蔽層とに互いに見当が合って形成されていることを特徴とする情報記録媒体である。【選択図】図１
2004106193.tif 000002
【特許請求の範囲】
【請求項１】
単層または複数層でできた透明基材の片面の側に、少なくとも低融点金属薄膜層を、そして該透明基材の他面の側には、該透明基材に近い側から少なくとも情報記録層及び隠蔽層を、それぞれ有する情報記録媒体であって、
該情報記録層は、普段は秘密にしておきたい情報が記録していること、
該低融点金属薄膜層は、該情報が該低融点金属薄膜層の有る側から視認できないようにする隠蔽性を有し、且つ、該低融点金属薄膜層は、加熱されると元の薄膜の状態でなくなり該隠蔽性を消失すること、
該隠蔽層は、該情報が該隠蔽層の有る側から視認できないようにする隠蔽性を有していること、
及び、微細な孔である微細孔が、前記情報記録媒体の面のいずれか片方から他方へ光が透過可能であるように、少なくとも前記低融点金属薄膜層と隠蔽層とに互いに見当が合って形成されていることを特徴とする情報記録媒体。
【請求項２】
前記微細孔が前記情報記録媒体にパターン状に配されてなる微細孔パターンが形成されていることを特徴とする請求項１に記載の情報記録媒体。
【請求項３】
前記微細孔は、任意の方向イに沿って、長さが２種類以上のいずれかの線分状の孔で形成されていることを特徴とする請求項２に記載の情報記録媒体。
【請求項４】
前記微細孔は、任意の方向イ及び該方向イと交差する任意の方向ロの少なくとも２の方向に沿って、長さが２種類以上のいずれかの線分状の孔で形成されていることを特徴とする請求項２に記載の情報記録媒体。
【請求項５】
請求項１乃至４のいずれかに記載の情報記録媒体を製造する方法であって、
前記透明基材の片面の側に、少なくとも低融点金属薄膜層を、そして該透明基材の他面の側には、該透明基材に近い側から少なくとも前記の情報記録層及び隠蔽層を、それぞれ備えた該情報記録媒体の中間製造物に対して、
レーザを用いた穿孔によって前記微細孔を形成することを特徴とする情報記録媒体の製造方法。
【請求項６】
或る情報記録媒体を被判定品としてその真偽を判定しようとする場合に、もし請求項１乃至５のいずれかに記載の情報記録媒体であれば、前記微細孔を介して片面側から他面側へ向けて透過光を得られることを判定に利用して、該被判定品に光を当てて該透過光の有無を確認する工程を経ることにより真偽の判定を行うことを特徴とする真偽判定方法。
【請求項７】
或る情報記録媒体を被判定品としてその真偽を判定しようとする場合に、もし請求項２乃至４のいずれかに記載の情報記録媒体であれば、前記微細孔を介して片面側から他面側へ向けて得られる透過光によってできるパターンが、該透過光を見る角度によって変化することを判定に利用して、該被判定品に光を当てて該透過光を見ようとする角度を変えて確認する工程を経ることにより真偽の判定を行うことを特徴とする真偽判定方法。
【発明の詳細な説明】
【０００１】
【発明の属する技術分野】
本発明は、番号、記号、又はその他により表現された抽選用の秘密の情報［抽選情報］が記録され、普段はその抽選情報が秘密に維持されるよう隠蔽されている抽選券［代表例は、宝くじ、等］とか、番号、記号、又はその他により表現された或る秘密の情報［秘密情報］が記録され、やはり普段はその秘密情報が秘密に維持されるよう隠蔽されている秘密情報媒体［代表例は、正当に入手した人にユーザコード等を密かに報せるプリペイド式テレホンカード、等］であって、必要な場合に指定した場所の隠蔽性を消失させることによって、そこに記録されている秘密の情報の視認を可能ならしめることができる情報記録媒体を使用して何等かの抽選とか秘密情報の受け渡しに適用でき、特に、改ざんに代表される不正の防止や、万が一にも不正が成された場合の発見を容易ならしめる技術に関する。
【０００２】
【従来の技術】
従来の技術では、機械による開封しかできないセキュリティ性の高い情報記録媒体であって、開封する順番で情報記録媒体としての価値が変化するようなシステムに適応できる情報記録媒体では、
１．低融点金属薄膜層を一旦除去し、記録されている情報を読み取った後、再生する。
２．隠蔽層を一旦除去し、記録されている情報を読み取った後、再生する。
の２通りの方法により、比較的容易に不正を行うことができた。
【０００３】
【発明が解決しようとする課題】
本発明は、上記問題点を解決するためになされたものであって、抽選の類、特にはゲーム性も備えた抽選であるとか、ある秘密の情報を特定の人にのみ知らせようとする秘密情報の受け渡し、に適用できる情報記録媒体であって、指定した箇所を隠蔽している層の隠蔽性を消失させる工程を経ることによって、その情報記録媒体に秘密の情報として記録してある秘密情報を視認出来るようになっており、当該視認出来るようになったそれまで秘密だった情報にもとづいて、前記抽選や秘密情報の受け渡しに利用可能となり、特に、前記秘密の情報の盗み見や改ざんに代表される不正の防止や、万一にも不正が成された場合の発見を容易にならしめる為に好適な、情報記録媒体およびその製造方法並びに真偽判定方法を提供することを目的とする。
【０００４】
【課題を解決するための手段】
上記の目的を達成する為に、請求項１に係る発明は、単層または複数層でできた透明基材の片面の側に、少なくとも低融点金属薄膜層を、そして該透明基材の他面の側には、該透明基材に近い側から少なくとも情報記録層及び隠蔽層を、それぞれ有する情報記録媒体であって、
該情報記録層は、普段は秘密にしておきたい情報が記録していること、
該低融点金属薄膜層は、該情報が該低融点金属薄膜層の有る側から視認できないようにする隠蔽性を有し、且つ、該低融点金属薄膜層は、加熱されると元の薄膜の状態でなくなり該隠蔽性を消失すること、
該隠蔽層は、該情報が該隠蔽層の有る側から視認できないようにする隠蔽性を有していること、
及び、微細な孔である微細孔が、前記情報記録媒体の面のいずれか片方から他方へ光が透過可能であるように、少なくとも前記低融点金属薄膜層と隠蔽層とに互いに見当が合って形成されていることを特徴とする情報記録媒体である。
【０００５】
尚、本発明で云う微細な穿孔は、低融点金属薄膜層と隠蔽層とに必ずしも微細な空間が存在している必要は無く、場合によっては、低融点金属薄膜層と隠蔽層の各層の材料が除去された微細な局所が光透過性のある何等かの材料［代表例は保護層とか接着剤層に用いられる樹脂等でできた透明な材料］で埋められていても構わない。要するに、情報記録媒体を正面から見ようとした場合に、情報記録媒体の向こう側からの光が少なくとも低融点金属薄膜層と隠蔽層を介したにも関わらず光の一部が透過できる微細な通路が存在する状態であればよく、この通路が微細孔に相当する。
後述するような、微細な複数の孔がパターン状に配置されてあり、その情報記録媒体を光にかざして微細孔を介して透過した透過光によって見える像が、見る角度によって今まで見えていた像とは異なる像に変化させる（いわゆる潜像を用意しておき見る角度が変わることによってそれまで見えなかった潜像が見えるようにする）という観点から云うと、「孔」という表現を使うものの、このように透明材料で埋まっているものでも良い。
しかし、秘密の情報の盗み読みとか秘密の情報の改ざん等に代表される不正を防止すること、あるいは、万一そのような不正が施されたとしても、その不正が有った事の発見を容易にするとこと、という目的から云えば、本発明でいう孔は、前記の例のように透明材料で埋まっておらず、空間である事が望ましい。何故なら、もし本発明に係る情報記録媒体が前記不正を図られるべく、何等かの方法でどこかをいったん破壊されたり又はどこかをいったん剥離される等した後に、また貼り合わせられることで修復されたとした場合には、この微細孔が新たに与えられた接着剤または保護層の材料で埋まり易いからである。
【０００６】
尚、もし孔が微細であれば、前記のような不正による貼り合わせで見当が少しずれただけでも、光りが透過し難くなり、本来は正面から見えていたはずの透過光が見え難くなってしまう。この為、不正を図ろうとする人に微細孔の存在を気づかせ難くできるとか、あるいは、少し見当がずれただけでも透過光が見え難くなり易いやすい、という観点から検討すると、本発明で云う微細孔はなるだけ微細である方が好ましいことになる。
但し、次のような欠点も考えられる。即ち、（その時代の技術水準にもよるが）あまりにも微細過ぎる孔を形成する為には低コスト，簡便，短い時間で対応するということが一般に難しく、もし極めて微細に形成できたとしても一般には高コスト，煩雑，長い時間を要してしまう等、という欠点を一般に伴ってしまう。また、穿孔があまりにも微細過ぎると、もし情報記録媒体を正面から見た場合であっても光りが巧く微細孔を介して透過できず、透過光の像が見え難くなる欠点も招くことになる。
そこで、実際に微細孔を形成する場合には、これらを総合的に考慮したうえで適当な径を選定して加工する必要がある。
【０００７】
また、請求項２に係る発明は、前記微細孔が前記情報記録媒体にパターン状に配されてなる微細孔パターンが形成されていることを特徴とする請求項１に記載の情報記録媒体である。
【０００８】
また、請求項３に係る発明は、前記微細孔は、任意の方向イに沿って、長さが２種類以上のいずれかの線分状の孔で形成されていることを特徴とする請求項２に記載の情報記録媒体である。
【０００９】
また、請求項４に係る発明は、前記微細孔は、任意の方向イ及び該方向イと交差する任意の方向ロの少なくとも２の方向に沿って、長さが２種類以上のいずれかの線分状の孔で形成されていることを特徴とする請求項２に記載の情報記録媒体である。
【００１０】
また、請求項５に係る発明は、請求項１乃至４のいずれかに記載の情報記録媒体を製造する方法であって、
前記透明基材の片面の側に、少なくとも低融点金属薄膜層を、そして該透明基材の他面の側には、該透明基材に近い側から少なくとも前記の情報記録層及び隠蔽層を、それぞれ備えた該情報記録媒体の中間製造物に対して、
レーザを用いて前記微細孔を穿孔することを特徴とする情報記録媒体の製造方法である。
【００１１】
また、請求項６に係る発明は、或る情報記録媒体を被判定品としてその真偽を判定しようとする場合に、もし請求項１乃至５のいずれかに記載の情報記録媒体であれば、前記微細孔を介して片面側から他面側へ向けて透過光を得られることを判定に利用して、該被判定品に光を当てて該透過光の有無を確認する工程を経ることにより真偽の判定を行うことを特徴とする真偽判定方法である。
【００１２】
また、請求項７に係る発明は、或る情報記録媒体を被判定品としてその真偽を判定しようとする場合に、もし請求項２乃至４のいずれかに記載の情報記録媒体であれば、前記微細孔を介して片面側から他面側へ向けて得られる透過光によってできるパターンが、該透過光を見る角度によって変化することを判定に利用して、該被判定品に光を当てて該透過光を見ようとする角度を変えて確認する工程を経ることにより真偽の判定を行うことを特徴とする真偽判定方法である。
【００１３】
【発明の実施の形態】
以下、本発明の実施の形態について図面に基づいて説明する。
図１は、本発明の情報記録媒体の一例を示した断面図である。また、図２は、本発明の情報記録媒体の一例を示した表面と裏面の平面図である。また、図３は、図２に示した領域Ａの拡大図である。また、図４は、図３に示した線分Ｘ−Ｙの断面図である。また、図５は、真偽判定時に現れる真偽判定パターンの一例を示した平面図である。
【００１４】
図１に示すように、本発明の一実施例としての情報記録媒体は、基材（１３）の片面に低融点金属薄膜層（１２）と保護層（１１）を順次設けてあり、一方基材（１３）の反対面に情報記録層（１４）と遮光層（１５）を順次設けた構成であって、少なくとも前記低融点金属薄膜層と隠蔽層に、この各々の層を貫通する見当の合わされた美細孔パターン（図示せず）が形成されている情報記録媒体である。
上記低融点金属薄膜層（１２）の表面を保護する保護層（１１）は、必要に応じて設ければ良く、必ずしも必要とするものではない。また、基材（１３）は、情報記録媒体の形状を維持できれば、必ずしも必要とせず、必要に応じて設ければ良い。
【００１５】
低融点金属薄膜層（１２）は、下方の情報記録情報層に記録されている情報を隠蔽するものであり、従来のゴム系隠蔽インキを用いた情報記録媒体と異なり、金属の融点以上の温度になるようにサーマルヘッド等で加熱することによって隠蔽性を失い、透明基材を介して記録情報（１４）をみることができるようにした情報記録媒体である。
ここで用いることができる金属としては、スズ、鉛、亜鉛、アルミニウムなどの単体もしくは合金で、比較的融点が低いものを用いることができる。
【００１６】
この低融点金属薄膜層（１２）は、真空蒸着やスパッタなどの加工方法を用いて作成することが望ましい。この場合、表面は非常に傷つき、隠蔽性を損なうことがあるため、表面保護層（１１）を設けてもよい。
表面保護層としては、ＰＥＴなどのフィルムや紫外線効果樹脂など耐摩性の強い材料を用いることが望ましいが、透明であれば特に限定されるものではない。
【００１７】
情報記録層（１４）は、情報記録に用いられる情報の層である。印刷もしくは印字により、文字、記号、数字、図形、又は画像の少なくともいずれかにより設けられる。
【００１８】
隠蔽層（１５）は、情報記録層の情報を低融点金属薄膜層とは逆側より隠蔽することを目的に設ける。隠蔽層は、金属蒸着などの反射性を有するもの、染料や顔料のように光を吸収するものもしくは散乱するものを用いることができる。
【００１９】
これらの層だけでは、形状を維持することが難しい場合には、基材（１３）を追加することができる。追加する場所としては、表面保護層（１１）の機能を兼ねる場合、低融点金属薄膜層（１２）と情報記録層（１４）との間に追加する場合、情報記録層（１４）と隠蔽層（１５）の間に追加する場合、隠蔽層（１５）の機能と兼ねる場合、隠蔽層（１５）の外側に追加する場合が考えられる。ただし、表面保護層（１１）と機能を兼ねる場合もしくは低融点金属薄膜層（１２）と情報記録層（１４）との間に設ける場合には透明性が、隠蔽層と機能を兼ねる場合には隠蔽性が必要となる。
これら、追加基材は複数でもよく、その場合には、ラミネートなどの貼り合わせを行い、一枚の媒体に仕上げる。
【００２０】
情報記録媒体における低融点金属薄膜層もしくは隠蔽層を剥離、破壊することにより、記録情報を読み取り、貼り合わせ、復元することにより、不正が行われる可能性がある。
これら不正を防止するため、低融点金属薄膜層と隠蔽層をパターン化し、そのパターンの見当を合わせて設けることにより、不正を困難にする。
【００２１】
低融点金属薄膜層および隠蔽層をパターンで設ける場合には、見当が合っていればよく、必ずしも同一のパターンで設ける必要はない。また、低融点金属薄膜層および隠蔽層のみならず、その他の層もパターン化し、見当を合わせてもよい。
【００２２】
パターン化する方法としては、レーザ破壊、エッチング、パンチ抜きなどを用いることができる。パターン化のタイミングとしては、すべて同時におこなっても、おのおのの層でパターン化しておき、ラミネートなどのタイミングで見当を合わせてもよい。
【００２３】
パターン化する方法として、低融点金属薄膜層および隠蔽層に同じ形状で設ける場合には、レーザを用いると便利である。レーザを用いる場合には、その波長により、低融点金属薄膜層および隠蔽層以外の層にも加工することができ、媒体を貫通した穴を開けても良い。
【００２４】
用いることができるレーザとしては、穴を開けたい層に適した発振波長と強度が得られるものであれば特には問わない。これらの点から、炭酸ガスレーザやネオジムＹＡＧレーザが適当である場合が多い。
【００２５】
また、ナンバリングなどの個別情報を低融点金属薄膜層および隠蔽層に同じパターンで設けることにより、複数の媒体から一枚の情報記録媒体の復元を行う不正に対して、有効な防止策となる。
【００２６】
本発明は、図２に示すようなパターンを情報記録媒体の少なくとも低融点金属薄膜層および隠蔽層に、例えば縦方向もしくは横方向に向けて、例えば２種類の長さの微細な線状の穴が２次元的に配置されるように形成することによって、潜像も有した情報記録媒体とすることもできる。
この際、図２のＡの部分を拡大したものに相当する図３に示すように、横方向の穴（Ｂ）と縦方向の穴（Ｃ）で設けることによりパターン化する。
【００２７】
この媒体を真正面から透過光を参照した場合、穴が微細なため、縦方向、横方向の区別がつかないため、均等に配列された穴と見える。
【００２８】
しかし、図３のＸ−Ｙにおける断面を表した図４に示すように、基材を傾けて（すなわち、点Ｐの方向から）透過光を観測した場合、横方向の穴（Ｂ）の場合には光（４６）は透過せず、縦方向の穴（Ｃ）の場合には光（４６）は一部透過するため、縦方向で形成した真偽判定パターンが図５のように現れる。
【００２９】
基材に開ける線分状の穴の幅や長さは、紙の厚さおよびパターンを真偽判定するときの角度の設計にもよるが、幅は基材の厚みの１／２〜２倍程度、長さは１倍以上が適当である。
【００３０】
本発明の媒体は、９０°回すと、縦と横が反転するため、傾けて見た場合、真偽判定パターンも回す前の反転したものとなる。
【００３１】
例えば、厚さ１００μｍの情報記録媒体に幅６０μｍ、長さ２００μｍの線状の穴を縦方向と横方向とにパターン化して、ＣＯ２ガスレーザを用いて２次元的に配置させて微細穿孔パターンが形成された、本発明に係る情報記録媒体を作成し、正面から透過光を見た場合には、単なる整然と並んだ微細な孔の集合に見えたが、情報記録媒体と視線とが成す角度を傾けて見た場合には、正面から見た場合と違って、もはや透過光が届かない微細な穿孔も存在することよによって、縦方向、横方向で区別された透過光に潜像がを視認することができた。即ち、潜像付きの情報記録媒体を得られた。
【００３２】
【発明の効果】
本発明により、ある種の抽選方式や、或る秘密の情報を特定の人にのみ知らせる秘密情報の受け渡し、等に適用できる情報記録媒体であって、指定した箇所の隠蔽性を消失させる工程を経ることによって、そこに記録してある秘密の情報を視認出来るようになっており、当該視認出来るようになったそれまで秘密だった情報にもとづいて、前記抽選や秘密情報の受け渡しに利用可能となり、特に、前記秘密の情報の盗み見や改ざんに代表される不正の防止や、万一にも不正が成された場合の発見を容易にならしめる為に好適な、情報記録媒体およびその製造方法並びに真偽判定方法を提供することが出来た。
【図面の簡単な説明】
【図１】本発明の情報記録媒体の一例を示した断面図である。
【図２】本発明の情報記録媒体の一例を示した表面と裏面の平面図である。
【図３】図２に示した領域Ａの拡大図である。
【図４】図３に示した線分Ｘ−Ｙの断面図である。
【図５】真偽判定時に現れる真偽判定パターンの一例を示した平面図である。
１１　表面保護層
１２　低融点金属薄膜層
１３　基材
１４　情報記録層
１５　隠蔽層
２１　情報記録媒体
２２　線分状の穴
３１　線分状のパターン
４１　表面保護層
４２　低融点金属薄膜層
４３　基材
４４　情報記録層
４５　隠蔽層
４６　光
５１　情報記録媒体
５２　潜像画像
【図１】
2004106193.tif 000003
【図２】
2004106193.tif 000004
【図３】
2004106193.tif 000005
【図４】
2004106193.tif 000006
【図５】
2004106193.tif 000007